(57)【要約】【課題】写損分析に必要な画像を選別する手間を削減し、写損分析の効率を向上させる。【解決手段】制御装置であって、撮影画像又は当該撮影画像に基づく処理画像である画像を写損画像とする指示を受け付ける指示部と、画像の撮影プロトコルの情報と、画像が指示手段により指示された写損画像であるか否かを示す情報とに基づいて、画像に撮影成否を示す情報を付与する付与部とを備える。【選択図】  図７
2018027159.tif 000002
【特許請求の範囲】
【請求項１】
撮影画像又は当該撮影画像に基づく処理画像である画像を写損画像とする指示を受け付ける指示手段と、
前記画像の撮影プロトコルの情報と、前記画像が前記指示手段により指示された前記写損画像であるか否かを示す情報とに基づいて、前記画像に撮影成否を示す情報を付与する付与手段と、
を備えることを特徴とする制御装置。
【請求項２】
前記撮影画像は、トモシンセシス撮影により得られた投影画像であり、
前記処理画像は、前記投影画像から得られた再構成画像である
ことを特徴とする請求項１に記載の制御装置。
【請求項３】
前記付与手段は、前記撮影プロトコルがトモシンセシス撮影用プロトコルであって、前記投影画像及び前記再構成画像の中に前記指示手段により指示されていない有効画像が含まれている場合に、前記投影画像及び前記再構成画像の全てに撮影成功を示す情報を付与することを特徴とする請求項２に記載の制御装置。
【請求項４】
前記付与手段は、前記撮影プロトコルがトモシンセシス撮影用プロトコルであって、前記投影画像及び前記再構成画像の中に前記指示手段により指示されていない有効画像が含まれていない場合に、前記投影画像及び前記再構成画像の全てに撮影失敗を示す情報を付与することを特徴とする請求項２又は３に記載の制御装置。
【請求項５】
前記付与手段は、前記撮影プロトコルがトモシンセシス撮影用プロトコルはなく、前記画像が前記指示手段により指示されていない有効画像である場合、前記画像に撮影成功を示す情報を付与することを特徴とする請求項１に記載の制御装置。
【請求項６】
前記付与手段は、前記撮影プロトコルがトモシンセシス撮影用プロトコルはなく、前記画像が前記指示手段により指示された前記写損画像である場合、前記画像に撮影失敗を示す情報を付与することを特徴とする請求項１又は５に記載の制御装置。
【請求項７】
前記処理画像は、前記撮影画像から得られた複製画像であり、
前記撮影プロトコルがＤＸ撮影用プロトコルである
ことを特徴とする請求項１に記載の制御装置。
【請求項８】
前記付与手段は、前記画像が前記複製画像ではないオリジナル画像であって当該画像の複製画像が存在しており、前記オリジナル画像及び前記複製画像の中に前記指示手段により指示されていない有効画像が含まれている場合、前記オリジナル画像及び前記複製画像の全てに撮影成功を示す情報を付与することを特徴とする請求項７に記載の制御装置。
【請求項９】
前記付与手段は、前記画像が前記複製画像ではないオリジナル画像であって当該画像の複製画像が存在しており、前記オリジナル画像及び前記複製画像の中に前記指示手段により指示されていない有効画像が含まれていない場合、前記オリジナル画像及び前記複製画像の全てに撮影失敗を示す情報を付与することを特徴とする請求項７又は８に記載の制御装置。
【請求項１０】
前記付与手段は、前記画像が前記複製画像ではないオリジナル画像であって当該画像の複製画像が存在しておらず、前記画像が前記指示手段により指示されていない有効画像である場合、前記画像に撮影成功を示す情報を付与することを特徴とする請求項７乃至９の何れか１項に記載の制御装置。
【請求項１１】
前記付与手段は、前記画像が前記複製画像ではないオリジナル画像であって当該画像の複製画像が存在しておらず、前記画像が前記指示手段により指示された前記写損画像である場合、前記画像に撮影失敗を示す情報を付与することを特徴とする請求項７乃至１０の何れか１項に記載の制御装置。
【請求項１２】
前記付与手段により撮影失敗を示す情報が付与された画像と、当該画像の付帯情報とを出力する出力手段を更に備え、
前記付帯情報は、プロトコル番号、撮影プロトコル、再撮影元プロトコル番号、画像番号、画像タイプ、写損状態を示す情報、および撮影成否を示す情報のうち少なくとも１つの情報を含むことを特徴とする請求項１乃至１１の何れか１項に記載の制御装置。
【請求項１３】
前記付与手段により撮影成否を示す情報が付与された写損画像と、当該写損画像の付帯情報とを出力する出力手段を更に備え、
前記付帯情報は、プロトコル番号、撮影プロトコル、再撮影元プロトコル番号、画像番号、画像タイプ、写損状態を示す情報、および撮影成否を示す情報のうち少なくとも１つの情報を含むことを特徴とする請求項１乃至１１の何れか１項に記載の制御装置。
【請求項１４】
前記出力手段は、写損統計端末へ出力を行うことを特徴とする請求項１２又は１３に記載の制御装置。
【請求項１５】
前記付与手段により撮影成功を示す情報が付与され且つ前記指示手段により写損画像であるとされた画像を写損統計端末へ出力しない一方、前記付与手段により撮影失敗を示す情報が付与され且つ前記指示手段により写損画像であるとされた画像は前記写損統計端末へ出力する出力手段を更に備えることを特徴とする請求項１乃至１１の何れか１項に記載の制御装置。
【請求項１６】
画像を写損画像とする指示を受け付ける指示手段と、
前記写損画像を写損統計端末へ出力するか否かを判定する判定手段と、
前記判定手段により前記写損統計端末へ出力すると判定された前記写損画像を出力する出力手段と、
を備えることを特徴とする制御装置。
【請求項１７】
撮影画像又は当該撮影画像に基づく処理画像である画像を写損画像とする指示を受け付ける指示手段と、
前記画像の撮影プロトコルの情報と、前記画像が前記指示手段により指示された前記写損画像であるか否かを示す情報とに基づいて、前記画像に撮影成否を示す情報を付与する付与手段と、
を備えることを特徴とする制御システム。
【請求項１８】
前記付与手段は、写損統計端末に記憶されている画像に対して撮影成否を示す情報を付与することを特徴とする請求項１７に記載の制御システム。
【請求項１９】
制御装置で実行される処理方法であって、
撮影画像又は当該撮影画像に基づく処理画像である画像を写損画像とする指示を受け付ける指示工程と、
前記画像の撮影プロトコルの情報と、前記画像が前記指示工程により指示された前記写損画像であるか否かを示す情報とに基づいて、前記画像に撮影成否を示す情報を付与する付与工程と、
を有することを特徴とする処理方法。
【請求項２０】
制御装置で実行される処理方法であって、
画像を写損画像とする指示を受け付ける指示工程と、
前記写損画像を写損統計端末へ出力するか否かを判定する判定工程と、
前記判定工程により前記写損統計端末へ出力すると判定された前記写損画像を出力する出力工程と、
を有することを特徴とする処理方法。
【請求項２１】
コンピュータを、請求項１乃至１６の何れか１項に記載の制御装置の各手段として機能させるためのプログラム。
【発明の詳細な説明】
【技術分野】
【０００１】
本発明は、制御装置、制御システム、処理方法及びプログラムに関するものである。
【背景技術】
【０００２】
医療機関では、ネットワーク接続による医療情報システムが構築されている。例えば、放射線撮影が必要と判断されると、ＨＩＳ（Ｈｏｓｐｉｔａｌ Ｉｎｆｏｒｍａｔｉｏｎ Ｓｙｓｔｅｍ）端末やＲＩＳ（Ｒａｄｉｏｌｏｇｙ Ｉｎｆｏｒｍａｔｉｏｎ Ｓｙｓｔｅｍ）端末より検査指示を入力し、依頼先である放射線部門に伝達する。これらのネットワーク通信は、ＩＨＥ（Ｉｎｔｅｇｒａｔｉｎｇ ｔｈｅ Ｈｅａｌｔｈｃａｒｅ Ｅｎｔｅｒｐｒｉｓｅ）という医用標準規格ガイドラインに基づいたテクニカルフレームワークにより実現されている。
【０００３】
ＨＩＳまたはＲＩＳによって伝達された依頼情報を検査オーダといい、この検査オーダには依頼元の部門名や、検査項目、患者の個人データなどが含まれる。放射線部門は検査オーダを受信すると、撮影に必要な撮影プロトコルを放射線撮影システムへ入力する。そして、複数の撮影プロトコルを含む検査オーダに基づき検査が進行する。ここで撮影プロトコルとは、医師により要求された撮影部位や撮影方法、画像処理の情報等を含む。撮影により得られた画像を、撮影時の日時や被曝線量などの撮影情報を関連付けて記憶する。検査中、撮影技師による撮影手技失敗などにより、診断に適さない撮影画像が得られる場合がある。その場合、放射線撮影システムへの写損指示入力により、撮影画像は写損画像として記憶される。検査終了とともにＰＡＣＳ（Ｐｉｃｔｕｒｅ Ａｒｃｈｉｖｉｎｇ ａｎｄ Ｃｏｍｍｕｎｉｃａｔｉｏｎ Ｓｙｓｔｅｍｓ）と呼ばれる医用画像管理システムへ撮影画像を転送し、保存する。
【０００４】
特許文献１は、写損画像までＰＡＣＳに転送すると、ネットワーク負荷が増大したりＰＡＣＳの容量を圧迫したりするため、有効画像だけをＰＡＣＳへ転送し、写損画像をＰＡＣＳへ転送しないように制御する技術を開示している。
【０００５】
特許文献２は、撮影技師の技量向上及び技能向上に伴う患者への無効被曝低減を目的に、写損画像及び写損画像の撮影情報を自動的に収集し、管理する技術を開示している。これにより写損画像に関する情報を全て写損統計サーバへ転送することが可能となっている。
【０００６】
また、医療の現場では、トモシンセシス撮影により得られる投影画像及び当該投影画像に基づく再構成画像、又は、撮影画像及び当該撮影画像に基づく複製画像など、診断に適した画像が得られるまで、撮影技師により多数の画像が生成されることがある。
【先行技術文献】
【特許文献】
【０００７】
【特許文献１】特開２００１−１７５７７１号公報
【特許文献２】特開２００７−４４２７２号公報
【発明の概要】
【発明が解決しようとする課題】
【０００８】
しかしながら、診断に適した画像以外の画像をＰＡＣＳに転送させないようにするために写損扱いされた画像の中には、撮影失敗ではない画像も含まれることがある。写損扱いされた画像は写損統計サーバへ転送されるため、その場合、本来写損分析には不要な、撮影失敗ではない画像まで写損統計サーバへ転送されてしまうことになる。よって、写損分析に必要な画像を選別する手間が発生し、写損分析の効率が低下するという課題がある。
【０００９】
本発明は、上記の課題に鑑みてなされたものであり、写損分析に必要な画像を選別する手間を削減し、写損分析の効率を向上させるための技術を提供することを目的とする。
【課題を解決するための手段】
【００１０】
上記の目的を達成する本発明に係る制御装置は、
撮影画像又は当該撮影画像に基づく処理画像である画像を写損画像とする指示を受け付ける指示手段と、
前記画像の撮影プロトコルの情報と、前記画像が前記指示手段により指示された前記写損画像であるか否かを示す情報とに基づいて、前記画像に撮影成否を示す情報を付与する付与手段と、
を備えることを特徴とする。
【発明の効果】
【００１１】
本発明によれば、写損分析に必要な画像を選別する手間を削減し、写損分析の効率を向上させることが可能となる。
【図面の簡単な説明】
【００１２】
【図１】実施形態１乃至４に係る制御システムの構成例を示す図。
【図２】実施形態１、３に係るＸ線撮影制御部の機能的な構成の一例を示す図。
【図３】実施形態１、３、５に係る撮影画面の一例を示す図。
【図４】実施形態１乃至６に係るＸ線撮影システムでの撮影動作の一例を示すフローチャート。
【図５】実施形態１、３、５に係る撮影処理及び後処理の一例を示すフローチャート。
【図６】実施形態１、３、５に係る検査情報の一例を示す表。
【図７】実施形態１、３、５に係る撮影成否識別部の動作の一例を示すフローチャート。
【図８】実施形態１、２に係る写損統計出力部の動作の一例を示すフローチャート。
【図９】実施形態２、４に係るＸ線撮影制御部の機能的な構成の一例を示す図。
【図１０】実施形態２、４、６に係る撮影画面の一例を示す図。
【図１１】実施形態２、４、６に係る撮影処理及び後処理の一例を示すフローチャート。
【図１２】実施形態２、４、６に係る検査情報の一例を示す表。
【図１３】実施形態２、４、６に係る撮影成否識別部の動作の一例を示すフローチャート。
【図１４】実施形態３乃至６に係る写損統計出力部の動作の一例を示すフローチャート。
【図１５】実施形態５、６に係る制御システムの構成例を示す図。
【図１６】実施形態５に係るＸ線撮影制御部の機能的な構成の一例を示す図。
【図１７】実施形態６に係るＸ線撮影制御部の機能的な構成の一例を示す図。
【発明を実施するための形態】
【００１３】
以下、図面を参照しながら実施形態を説明する。以下に示す実施形態においては、放射線としてＸ線を適用した場合を例に挙げて説明するが、放射線は、Ｘ線に限られず、例えば、電磁波やα線、β線、γ線などであってもよい。なお、以下の実施形態において示す構成は一例に過ぎず、本発明は図示された構成に限定されるものではない。
【００１４】
（実施形態１）
＜概要＞
実施形態１では、撮影画像又は当該撮影画像に基づく処理画像である画像を写損画像とする指示を受け付け、画像の撮影プロトコルの情報と、画像が当該指示された写損画像であるか否かを示す情報とに基づいて、画像に撮影成否を示す情報を付与する例を説明する。具体的には、トモシンセシス撮影用プロトコルで撮影された投影画像及び当該投影画像から生成された再構成画像の中に有効画像（写損指示されていない画像）が含まれている場合には、全ての画像に撮影成功を示す情報を付与する。
【００１５】
投影画像及び再構成画像の中に有効画像が含まれている場合には、特定の有効画像以外のその他の画像を写損統計端末（写損統計サーバ）へ出力したくないために、その他の画像について（撮影失敗ではないのに）写損指示がなされたものと考えられる。そのため、有効画像が含まれている場合には、全ての画像に撮影成功を示す情報を付与している。これにより、写損指示されたものの撮影失敗ではない画像が写損統計端末へ出力されることを防止できる。
【００１６】
一方、有効画像が含まれていない場合には、全ての画像に撮影失敗を示す情報を付与する。そして、撮影失敗を示す情報が付与された画像及び当該画像の付帯情報（プロトコル番号、撮影プロトコル、再撮影元プロトコル番号、画像番号、画像タイプ、写損状態を示す情報、および撮影成否を示す情報のうち少なくとも１つの情報を含む。）を写損統計端末へ出力する。これにより、撮影に失敗した画像を写損統計端末へ出力することができる。
【００１７】
このように、写損状態を示す情報とは別に撮影成否を示す情報を付与することにより、撮影に失敗した写損分析に必要な画像を出力できるため、写損分析の効率を向上させることができる。以下、実施形態１について詳述する。
【００１８】
＜制御システムの構成＞
図１は、本発明の一実施の形態に係る制御システムの構成例を示す図である。制御システム１は、Ｘ線撮影システム１０と、ＲＩＳ端末２０と、ＰＡＣＳ端末３０と、写損統計端末４０とを具備して構成されている。これら装置は、例えば、ネットワーク等の通信部５０を介して接続されている。
【００１９】
Ｘ線撮影システム１０は、Ｘ線デジタル画像（以下、撮影画像と呼ぶ）を撮影する。ＲＩＳ端末２０は、放射線部門内の情報システムである。ＰＡＣＳ端末３０は、Ｘ線撮影システム１０により撮影された撮影画像を保存・管理する。写損統計端末４０は、撮影に失敗した画像を保存・管理する。なお、写損統計端末４０は図１に示されるように必ずしもＸ線撮影システム１０と別体である必要はなく、Ｘ線撮影システム１０の内部に存在していてもよい。また、後述の制御装置１０１の内部に設けられていてもよい。あるいは、ＲＩＳ端末２０および／またはＰＡＣＳ端末３０と一体に構成されていてもよい。
【００２０】
Ｘ線撮影システム１０は、複数の撮影プロトコルから構成される検査オーダに基づいて検査（撮影）を実行する。撮影プロトコルの各々は、撮影条件や、撮影画像に対して実施する画像処理の内容等が規定される。より詳細には、撮影時や画像処理時等の各種パラメータ情報、撮影実施情報等が含まれ、さらに撮影環境情報（センサ種類、撮影姿勢）が対応付けられている。
【００２１】
＜Ｘ線撮影システムの構成＞
ここで、Ｘ線撮影システム１０は、制御装置１０１と、撮影部１０２と、表示部１０３と、操作部１０４とを具備して構成される。
【００２２】
制御装置１０１は、Ｘ線発生制御部１０１１と、Ｘ線撮影制御部１０１２とを備えている。Ｘ線発生制御部１０１１は、撮影プロトコルに基づくＸ線管球１０２１からのＸ線の発生を制御する。具体的には、撮影プロトコルに対応する撮影条件（例えば、管電流、管電圧、照射時間等のパラメータ）に基づいて、Ｘ線管球１０２１に電圧を印加し、Ｘ線を発生させる。Ｘ線撮影制御部１０１２は、撮影プロトコルに基づいたセンサ１０２２でのＸ線撮影処理を統括制御する。また、Ｘ線撮影制御部１０１２は、例えば、撮影画像に対して画像処理（例えば、補正処理、階調処理、周波数処理等）を施す。画像処理は、撮影時の撮影プロトコルに対応する画像処理パラメータを用いて行う。
【００２３】
撮影部１０２は、Ｘ線管球１０２１と、センサ１０２２とを具備して構成される。Ｘ線管球１０２１は、放射線発生部として機能し、被写体（すなわち、被検者）に向けてＸ線を照射する。センサ１０２２は、放射線検出部として機能するＦＰＤ（Ｆｌａｔ Ｐａｎｅｌ Ｄｅｔｅｃｔｏｒ）であり、被検者を透過したＸ線を検出する。検出した被検者の透過Ｘ線量に相当する電荷をＡ／Ｄ変換し、それを撮影画像としてＸ線撮影制御部１０１２へ転送する。
【００２４】
表示部１０３は、例えば、ディスプレイ等で構成され、操作者に向けてシステム状態等を表示する。表示部１０３には、例えば、ＲＩＳ端末２０から受信した検査オーダ（又は操作者が作成した検査オーダ）を表示する。操作部１０４は、例えば、キーボードやマウス、又は各種ボタン等で構成され、操作者からの指示を装置内に入力する。操作者は、操作部１０４を操作して、例えば、画像複製の指示を入力する。
【００２５】
＜Ｘ線撮影制御部の構成＞
図２は、本発明の一実施形態に係るＸ線撮影制御部の構成例を示す図である。Ｘ線撮影制御部１０１２は、検査オーダ入力部２０１と、画像入力部２０２と、検査情報記憶部２０３と、画像処理部２０４と、写損指示部２０５とを具備する。また、再撮影指示部２０６と、検査情報出力部２０７と、写損統計出力部２０８と、撮影成否識別部２０９とを具備して構成されている。
【００２６】
検査オーダ入力部２０１は、検査オーダを入力する。検査オーダは、撮影する患者情報と撮影内容とを含む検査情報である。検査オーダは、ＲＩＳ端末２０などの外部システムから取得されたり、操作部１０４の操作を介して入力されたりする。画像入力部２０２は、Ｘ線撮影システム１０で撮影された放射線画像を入力する。ネットワークを介して入力される場合や、ＣＤ−ＲＯＭやＤＶＤなどのメディアを経由して入力される場合もある。
【００２７】
検査情報記憶部２０３は、画像入力部２０２から入力された画像と、検査オーダ入力部２０１から入力された検査情報とを関連付けて記憶する。画像処理部２０４は、撮影プロトコルに対応する画像処理パラメータを用いて撮影画像に補正処理や階調処理、周波数処理等の画像処理を施す。
【００２８】
写損指示部２０５は、撮影画像に付帯情報として写損状態を示す情報を付与し、撮影画像を写損画像へ変更する。写損指示部２０５は、変更内容を検査情報記憶部２０３へ記憶する。再撮影指示部２０６は、撮影済みプロトコルに関して再撮影の準備をする。具体的には、指定された撮影済みプロトコルの撮影画像を、写損指示部２０５を制御して写損画像へ変更し、更に同一の撮影ができるよう検査オーダ入力部２０１を制御して当該撮影済みプロトコルと同一の撮影プロトコルを検査へ追加する。
【００２９】
検査情報出力部２０７は、検査情報記憶部２０３に記憶されている検査情報をＰＡＣＳ端末３０へ出力する。写損統計出力部２０８は、検査情報記憶部２０３に記憶されている情報のうち、写損画像及びその付帯情報を写損統計端末４０へ出力する。撮影成否識別部２０９は、検査情報記憶部２０３に記憶されている検査情報及び撮影画像の付帯情報に基づいて、撮影画像に関して撮影成功か撮影失敗かを識別する。
【００３０】
＜撮影画面の例＞
図３は、本発明の一実施形態に係る撮影画面の一例を示している。撮影画面３０１は、撮影画像をプレビュー表示するプレビュー画像表示領域３０２と、実行中の撮影プロトコルに関するセンサ１０２２の状態を示すセンサ状態表示領域３０３を含む。また、患者情報表示領域３０４と、検査オーダ表示領域３０５と、撮影画像の写損状態への変更を指示する写損ボタン３１２と、再撮影を指示する再撮影ボタン３１３と、検査終了を指示する検査終了ボタン３１４とを含んでいる。
【００３１】
検査オーダ表示領域３０５は、検査に含まれる撮影プロトコル３０６、３１０を表示しており、撮影プロトコルそれぞれに撮影手技の名称を表示している。また各撮影プロトコルには、それぞれで撮影した画像、及び生成した画像のサムネイルを表示するサムネイル表示領域３０８、３１１、３１５、３１６が設けられている。写損画像の当該サムネイル上には、写損を示す記号３０９が表示される。撮影プロトコル３０６はトモシンセシス撮影用プロトコルであり、再構成画像生成を指示する再構成ボタン３０７が表示されている。
【００３２】
＜処理＞
続いて、図４のフローチャートを参照しながら、本発明の一実施形態に係る制御装置１０１が実施する検査開始から終了までの一連の処理の手順を説明する。
【００３３】
Ｓ４０１において、制御装置１０１は、検査オーダ入力部２０１を介してＲＩＳ端末２０から（または操作者が手動で作成した）検査オーダを取得し、取得した検査オーダに含まれる検査情報を検査情報記憶部２０３へ記憶する。
【００３４】
Ｓ４０２において、制御装置１０１は、検査を開始して表示部１０３に撮影画面３０１を表示する。
【００３５】
Ｓ４０３において、制御装置１０１は、撮影処理及び撮影画像に対する後処理を実行する。ここで、Ｓ４０３の処理の詳細について図５のフローチャートを参照して説明する。
【００３６】
Ｓ５０１において、制御装置１０１は、撮影の準備を行う。具体的には、所定の順番（例えば検査オーダの先頭から順番に等）に従って未撮影プロトコルを撮影準備状態へ遷移させるとともに、当該未撮影プロトコルに含まれる撮影条件に基づきＸ線管球１０２１及びセンサ１０２２を制御して撮影の準備を行う。Ｘ線管球１０２１はＸ線発生制御部１０１１により制御され、センサ１０２２はＸ線撮影制御部１０１２により制御される。
【００３７】
Ｓ５０２において、制御装置１０１は、撮影プロトコルがトモシンセシス撮影用プロトコルであるか否かを判定する。撮影プロトコルがトモシンセシス撮影用プロトコルである場合（Ｓ５０２；Ｙｅｓ）、Ｓ５０３へ進む。一方、撮影プロトコルがトモシンセシス撮影用プロトコルではない場合（Ｓ５０２；Ｎｏ）、Ｓ５０５へ進む。
【００３８】
Ｓ５０３において、制御装置１０１は、後で再構成画像の元となる投影画像を撮影する。具体的には、Ｘ線管球１０２１から被写体に向けてＸ線を照射するとともに、センサ１０２２において当該被写体を透過したＸ線を検出する。この結果得られた投影画像を画像入力部２０２が取得し、取得された投影画像に対して画像処理部２０４が補正処理や階調処理、周波数処理等の画像処理を施す。投影画像は検査情報と関連付けて検査情報記憶部２０３へ記憶する。このとき撮影画面３０１では、投影画像の表示及び付帯する画像情報を表示する。投影画像をプレビュー画像表示領域３０２に表示し、投影画像のサムネイルを撮影に用いたトモシンセシス撮影用プロトコル上のサムネイル表示領域３１５へ表示する。
【００３９】
Ｓ５０４において、制御装置１０１は、操作部１０４の操作を介して操作者が再構成ボタン３０７を押下したことに応じて、画像処理部２０４により投影画像を再構成して断層画像（再構成画像）を生成する。再構成画像は１回に限らず、複数回生成可能である。例えば、診断に適する再構成画像が得られるように操作者が操作部１０４の操作を介して再構成パラメータを調整しながら、いくつかの再構成画像を生成することがある。生成された再構成画像について、それぞれのサムネイルをサムネイル表示領域３１６、３０８に表示する。その後、Ｓ４０４へ進む。
【００４０】
Ｓ５０５において、制御装置１０１は、トモシンセシス撮影用プロトコル以外のプロトコル、例えば静止画撮影用プロトコルを用いて撮影を行う。具体的には、Ｘ線管球１０２１から被写体に向けてＸ線を照射するとともに、センサ１０２２において当該被写体を透過したＸ線を検出する。この結果得られた撮影画像を画像入力部２０２が取得し、取得された撮影画像に対して画像処理部２０４が補正処理や階調処理、周波数処理等の画像処理を施す。撮影画像は検査情報と関連付けて検査情報記憶部２０３へ記憶する。このとき撮影画面３０１では、撮影画像の表示及び付帯する画像情報を表示する。撮影画像をプレビュー画像表示領域３０２に表示し、撮影画像のサムネイルを撮影に用いた撮影プロトコル３１０上のサムネイル表示領域３１１へ表示する。その後、Ｓ４０４へ進む。
【００４１】
続いて図４のフローチャートの説明に戻る。Ｓ４０４において、制御装置１０１は、操作部１０４の操作を介して操作者により再撮影ボタン３１３が押下されたか否かを判定する。例えば、プレビュー画像表示領域３０２に表示された画像を操作者が見て、診断に不適切であるため再撮影を要すると判定した場合に再撮影ボタン３１３が押下される。再撮影ボタン３１３が押下された場合（Ｓ４０４；Ｙｅｓ）、Ｓ４０５へ進む。一方、再撮影ボタン３１３が押下されていない場合（Ｓ４０４；Ｎｏ）、Ｓ４０６へ進む。
【００４２】
Ｓ４０５において、制御装置１０１は、再撮影処理を行う。具体的には、再撮影指示部２０６を通じて各種操作を指示する。まず、写損指示部２０５は、再撮影指示部２０６の制御の下で、Ｓ４０４で再撮影ボタン３１３が押下された時に指定された撮影画像を写損状態へ変更する。次に、検査オーダ入力部２０１は、再撮影指示部２０６の制御の下で、写損状態の撮影画像の撮影に使用した撮影プロトコルと同じ撮影プロトコルを検査に追加する。再撮影指示部２０６は、写損指示部２０５及び検査オーダ入力部２０１による変更内容を検査情報記憶部２０３へ記憶する。その後、Ｓ４０３に戻る。
【００４３】
Ｓ４０６において、制御装置１０１は、操作部１０４の操作を介して写損ボタン３１２が押下されたか否かを判定する。例えば、プレビュー画像表示領域３０２に表示された撮影画像を操作者が見て、診断に不適切であると判断したものとする。あるいは例えばサムネイル表示領域３１６、３０８に示すようにトモシンセシス撮影の複数の再構成画像のうち何れか１つを診断に適する画像として選択し、それ以外をＰＡＣＳ端末３０へ転送させないために写損状態に変更したいと操作者が判断したものとする。その結果、操作部１０４の操作を介して写損ボタン３１２が押下されることになる。写損ボタン３１２が押下された場合（Ｓ４０６；Ｙｅｓ）、Ｓ４０７へ進む。一方、写損ボタン３１２が押下されていない場合（Ｓ４０６；Ｎｏ）、Ｓ４０８へ進む。
【００４４】
Ｓ４０７において、制御装置１０１は、指定された撮影画像を写損指示部２０５により写損状態へ変更し、変更内容を検査情報記憶部２０３へ記憶する。その後、Ｓ４０８へ進む。
【００４５】
Ｓ４０８において、制御装置１０１は、操作部１０４の操作を介して検査終了ボタン３１４が押下されたか否かを判定する。例えば、全ての撮影プロトコルで撮影が済んだかどうかを、表示部１０３に表示された検査オーダ表示領域３０５を操作者が確認して判定する。全ての撮影プロトコルで撮影が終了していると判定した場合や、検査を終了したい場合に、操作者は操作部１０４を介して検査終了ボタン３１４を押下する。未撮影プロトコルが残っており検査を継続したい場合は、検査終了ボタン３１４を押下しない。検査終了ボタン３１４が押下された場合（Ｓ４０８；Ｙｅｓ）、Ｓ４０９へ進む。一方、検査終了ボタン３１４が押下されていない場合（Ｓ４０８；Ｎｏ）、Ｓ４０３に戻る。
【００４６】
Ｓ４０９において、制御装置１０１は、検査終了処理を行う。具体的には、検査情報出力部２０７が、検査情報記憶部２０３に記憶されている情報のうち、写損状態ではない有効画像と当該有効画像の付帯情報をＰＡＣＳ端末３０へ出力して検査を終了する。以上で図４のフローチャートの一連の処理が終了する。
【００４７】
＜検査情報の例＞
続いて、図６を参照して、本発明の一実施形態に係る検査情報の例を説明する。テーブル６０は、検査情報記憶部２０３に記憶されている検査終了済みの検査情報の一部を表形式で表したものである。
【００４８】
プロトコル番号項目６０１は、撮影プロトコルに付与される番号を表す。検査オーダに追加された順にＰ００１、Ｐ００２...といったように番号がインクリメントされる。撮影プロトコル項目６０２は、撮影プロトコルの名称を表す。撮影プロトコルはトモシンセシス撮影用プロトコルやＤＸ撮影用プロトコルである。「トモシンセシス胸部」や「ＤＸ胸部側面」などのように、撮影手技や撮影部位が撮影プロトコル項目６０２の名称となっている。
【００４９】
再撮影元プロトコル番号項目６０３は、再撮影指示部２０６の処理により追加された再撮影用プロトコルに付与される、再撮影元のプロトコル番号項目の番号である。例えば、テーブル６０におけるプロトコル番号Ｐ００３の撮影プロトコルは、撮影プロトコルＰ００１の再撮影のために追加された撮影プロトコルである。再撮影処理で追加されたものではない撮影プロトコルについては、再撮影元プロトコル番号項目６０３は空欄となる。
【００５０】
画像番号項目６０４は、画像に付与される番号を表す。撮影もしくは生成により得られた順にＩＭ００１、ＩＭ００２...いったように番号がインクリメントされる。画像タイプ項目６０５は、投影画像、再構成画像、静止画等の画像の種類を表す。有効／写損項目６０６は、画像が有効かもしくは写損状態かを表す。
【００５１】
写損指示部２０５により写損状態に変更された画像については、本項目は写損となる。それ以外は有効である。撮影成否項目６０７は、撮影手技に成功したか失敗したかを表しており、撮影成否識別部２０９により識別された成否情報が付与される。
【００５２】
＜テーブル６０の各項目（撮影成否項目６０７以外）の取得処理＞
以下では、再び図４及び図５を参照しながら、図６のテーブル６０に示す撮影成否項目６０７以外の検査情報が、検査終了までにどのような処理を経て得られるかを説明する。まず、図４のＳ４０１において撮影プロトコルＰ００１、Ｐ００２が入力され、Ｓ４０２において検査が開始される。最初はトモシンセシス撮影用プロトコルＰ００１に基づいて撮影が行われるため、Ｓ４０３の撮影処理及び後処理では図５でＳ５０３へ進むことになる。これにより投影画像ＩＭ００１が取得される。
【００５３】
次に、Ｓ５０４において、投影画像ＩＭ００１に基づき再構成画像ＩＭ００２、ＩＭ００３を取得したものとする。なお、再構成画像ＩＭ００２、ＩＭ００３に対しては、それぞれ異なる再構成パラメータにより画像処理が施されている。ここで、操作者が再構成画像ＩＭ００２、ＩＭ００３を観察し、投影画像ＩＭ００１が撮影手技に失敗していたことを理解した場合、Ｓ４０４において再撮影ボタン３１３が押下される。
【００５４】
すると、Ｓ４０５において、撮影プロトコルＰ００１により得られた全ての画像ＩＭ００１、ＩＭ００２、ＩＭ００３は写損状態に変更される。そして、撮影プロトコルＰ００１と同一の撮影プロトコルＰ００３が検査オーダに追加される。その後、Ｓ４０３に戻り、更に再撮影用プロトコルＰ００３で撮影を行うため、同様に図５のＳ５０３へ進み、投影画像ＩＭ００４が得られる。
【００５５】
次に、Ｓ５０４において、投影画像ＩＭ００４に基づいて再構成画像ＩＭ００５、ＩＭ００６が取得される。なお、再構成画像ＩＭ００５、ＩＭ００６に対しては、それぞれ異なる再構成パラメータにより画像処理が施されている。操作者は、再構成画像ＩＭ００５、ＩＭ００６を見比べて、再構成画像ＩＭ００６の方が診断に適すると判断したとする。
【００５６】
ここでは有効画像ＩＭ００６が含まれているため、Ｓ４０４では再撮影ボタン３１３は押下されず、Ｓ４０６へ進む。Ｓ４０６において、診断に適さない再構成画像ＩＭ００５がＰＡＣＳ端末３０へ転送されないようにするために、写損ボタン３１２が押下される。その結果、Ｓ４０７において、再構成画像ＩＭ００５は写損状態へ変更される。
【００５７】
Ｓ４０８において、未撮影のプロトコルＰ００２が残っているため、検査終了ボタン３１４が押下されず、Ｓ４０３に戻る。撮影プロトコルＰ００２は、トモシンセシス撮影用プロトコル以外の撮影プロトコルであるため、Ｓ５０２の判定処理の結果、Ｓ５０５へ進むことになる。Ｓ５０５における撮影により静止画ＩＭ００７が得られる。ここで操作者が静止画ＩＭ００７を見て撮影手技に失敗していたことを理解し、Ｓ４０４において再撮影ボタン３１３が押下されたものとする。
【００５８】
すると、Ｓ４０５において、撮影プロトコルＰ００２により得られた画像ＩＭ００７は写損状態に変更される。そして、撮影プロトコルＰ００２と同一の撮影プロトコルＰ００４が検査オーダに追加される。その後、Ｓ４０３に戻り、更に再撮影用プロトコルＰ００２で撮影を行うため、同様にＳ５０５へ進み、静止画ＩＭ００８が得られる。静止画ＩＭ００８が診断に適すると操作者が判断したものとする。
【００５９】
よって、Ｓ４０４において再撮影ボタン３１３は押下されず、更にＳ４０６において写損ボタン３１２は押下されず、Ｓ４０８へ進む。ここでは、全ての撮影プロトコルでの撮影が完了しているため、Ｓ４０８において検査終了ボタン３１４が押下され、検査が終了する。以上の一連の処理を経て、図６に示す撮影成否項目を除くテーブル６０の項目が得られる。
【００６０】
＜テーブル６０の撮影成否項目６０７の取得処理＞
次に、図７のフローチャートを参照しながら、本発明の一実施形態に係る検査終了済みの検査情報に対する撮影成否識別部２０９が実施する処理の手順を説明する。ここでは、図６に示すテーブル６０のうち、撮影成否項目６０７がどのような処理を経て得られるのかを説明する。なお、撮影成否識別部２０９による処理は、検査終了後から、写損統計出力部２０８が写損統計端末４０へ情報を出力するまでの任意のタイミングで実行される。例えば、検査終了時、操作部１０４を介しての実行指示があった時、写損統計端末４０への情報出力時などのタイミングで実行される。
【００６１】
Ｓ７０１において、撮影成否識別部２０９は、検査情報記憶部２０３から処理の対象となる検査情報を読み出す。ここでは図６に示されるテーブル６０の検査情報を読み出す。次に、検査情報内の各撮影プロトコルに対して先頭から順に、Ｓ７０２〜Ｓ７０８の処理をループしながらそれぞれ行う。ループ終了後、Ｓ７０９へ進む。最初に、テーブル６０における先頭の撮影プロトコルＰ００１に対して処理を行う。
【００６２】
Ｓ７０２において、撮影成否識別部２０９は、撮影プロトコルがトモシンセシス撮影用プロトコルであるか否かを判定する。トモシンセシス撮影用プロトコルである場合（Ｓ７０２；Ｙｅｓ）、Ｓ７０３へ進む。一方、それ以外の撮影プロトコルである場合（Ｓ７０２；Ｎｏ）、Ｓ７０６へ進む。撮影プロトコルＰ００１はトモシンセシス撮影用プロトコルなので、ここではＳ７０３へ進む。
【００６３】
Ｓ７０３において、撮影成否識別部２０９は、トモシンセシス撮影プロトコルで取得された投影画像及び全ての再構成画像の中に有効画像が含まれるか否かを判定する。有効画像が含まれると判定された場合（Ｓ７０３；Ｙｅｓ）、Ｓ７０４へ進む。一方、有効画像が含まれないと判定された場合（Ｓ７０３；Ｎｏ）、Ｓ７０５へ進む。ここでは、撮影プロトコルＰ００１で取得された画像ＩＭ００１、ＩＭ００２、ＩＭ００３は全て写損であるため、Ｓ７０５へ進むことになる。
【００６４】
Ｓ７０５において、撮影成否識別部２０９は、トモシンセシス撮影プロトコルで取得された投影画像及び全ての再構成画像に対して撮影失敗の情報を付与する。ここでは、画像ＩＭ００１、ＩＭ００２、ＩＭ００３に対して撮影失敗の情報が付与される。その後、ループ始端のＳ７０２に戻り、次に撮影プロトコルＰ００３に対する処理を行う。
【００６５】
撮影成否識別部２０９は、撮影プロトコルＰ００３はトモシンセシス撮影用プロトコルであるため（Ｓ７０２；Ｙｅｓ）、Ｓ７０３へ進む。撮影プロトコルＰ００３は有効画像ＩＭ００４、ＩＭ００６を含むため（Ｓ７０３；Ｙｅｓ）、Ｓ７０４へ進む。
【００６６】
Ｓ７０４において、撮影成否識別部２０９は、トモシンセシス撮影プロトコルで取得された投影画像及び全ての再構成画像に対して撮影成功の情報を付与する。ここでは画像ＩＭ００４、ＩＭ００５、ＩＭ００６に撮影成功の情報が付与される。その後、ループ始端のＳ７０２に戻り、次に撮影プロトコルＰ００２に対する処理を行う。
【００６７】
撮影プロトコルＰ００２はトモシンセシス撮影用プロトコルではないため（Ｓ７０２；Ｙｅｓ）、Ｓ７０６へ進む。Ｓ７０６において、撮影成否識別部２０９は、当該撮影プロトコルで撮影された画像が有効画像であるか否かを判定する。有効画像である場合（Ｓ７０６；Ｙｅｓ）、Ｓ７０７へ進む。一方、有効画像ではない場合（Ｓ７０６；Ｎｏ）、Ｓ７０８へ進む。ここでは、撮影プロトコルＰ００２で取得された画像ＩＭ００７は写損画像であるため、Ｓ７０８へ進む。
【００６８】
Ｓ７０８において、撮影成否識別部２０９は、当該撮影プロトコルで撮影された画像に対して撮影失敗の情報を付与する。ここでは画像ＩＭ００７に撮影失敗の情報が付与される。その後、ループ始端のＳ７０２に戻り、次に撮影プロトコルＰ００４に対する処理を行う。
【００６９】
撮影プロトコルＰ００４はトモシンセシス撮影用プロトコルではないため（Ｓ７０２；Ｎｏ）、Ｓ７０６へ進む。撮影プロトコルＰ００４で取得された画像ＩＭ００８は有効画像であるため（Ｓ７０６；Ｙｅｓ）、Ｓ７０７へ進む。
【００７０】
Ｓ７０７において、撮影成否識別部２０９は、当該撮影プロトコルで撮影された画像に対して撮影成功の情報を付与する。ここでは、画像ＩＭ００８に撮影成功の情報が付与される。これにより、全ての撮影プロトコルに対してループ処理が完了したため、Ｓ７０９へ進む。
【００７１】
Ｓ７０９において、撮影成否識別部２０９は、Ｓ７０２〜Ｓ７０８の一連の処理によって変更された検査情報を検査情報記憶部２０３へ記憶する。以上説明した処理を経て、テーブル６０の撮影成否項目６０７の情報が得られる。
【００７２】
＜写損統計出力部２０８の処理＞
次に、図８のフローチャートを参照しながら、本発明の一実施形態に係る写損統計出力部２０８が実施する処理の手順を説明する。撮影成否識別部２０９により検査情報に撮影成否項目６０７が付与された後に、写損統計出力部２０８が写損統計端末４０へ写損画像及び写損画像の付帯情報を出力する処理の一例を詳述する。写損統計出力部２０８による処理は、撮影成否識別部２０９による処理完了後の任意のタイミングで実行される。例えば、操作部１０４を介した実行指示があった時や、所望の実行日時を指定してバッググラウンドで実行される時である。
【００７３】
Ｓ８０１において、写損統計出力部２０８は、写損統計端末４０への出力対象となる検査情報を検査情報記憶部２０３から読み出す。Ｓ８０２において、写損統計出力部２０８は、Ｓ８０１で読み出された検査情報のうち、撮影成否識別部２０９により撮影失敗の情報を付与された撮影画像及び当該撮影画像の付帯情報を抽出する。図６のテーブル６０の検査情報の例では、画像ＩＭ００１、ＩＭ００２、ＩＭ００３、ＩＭ００７及びこれらの付帯情報が抽出される。Ｓ８０３において、写損統計出力部２０８は、Ｓ８０２で抽出された撮影画像及び付帯情報を写損統計端末４０へ出力する。以上で図８の一連の処理が終了する。
【００７４】
以上説明したように、本実施形態によれば、各撮影画像に対して写損状態を示す情報とは別に撮影成否状態を示す情報を付与することができる。更に、写損統計端末４０に対しては撮影失敗の情報が付与された撮影画像のみを出力することができる。
【００７５】
例えば、トモシンセシス撮影プロトコルで得られた画像について、テーブル６０の検査情報の画像ＩＭ００１、ＩＭ００２、ＩＭ００３のように、撮影手技失敗を意図して全て写損状態にした画像に対して、全て撮影失敗の情報を付与できる。よって、写損分析の対象として写損統計端末４０へ出力できる。
【００７６】
また、テーブル６０の検査情報における撮影プロトコルＰ００３のように有効画像を含むトモシンセシス撮影プロトコルについて、非転送を意図して写損状態にした画像ＩＭ００５は撮影成功とみなされる。そのため、写損分析の対象とはならず、写損統計端末４０へは出力されない。
【００７７】
一方、トモシンセシス撮影用プロトコル以外の撮影プロトコルでは、写損は撮影手技失敗を意図しており、写損画像に撮影失敗の情報を付与できる。よって、写損分析の対象として写損統計端末４０へ出力できる。
【００７８】
このように、写損分析に必要な画像のみが写損統計端末４０に出力されるため、写損統計端末４０側で写損分析に必要な画像と不要な画像とを仕分ける手間がなくなり、写損分析の効率を向上させることができる。また、写損分析の効率が向上することにより、撮影技師の技量向上にも貢献でき、技量向上に伴って無効被曝を低減し、患者保護にも貢献することができる。
【００７９】
（実施形態２）
＜概要＞
実施形態２では、撮影画像として、ＤＸ撮影用プロトコルで撮影された撮影画像を、当該撮影画像に基づく処理画像として、複製画像を用いる点が実施形態１とは異なっている。具体的には、ＤＸ撮影用プロトコルで撮影された撮影画像（静止画像）及び当該撮影画像から生成された複製画像の中に有効画像（写損指示されていない画像）が含まれている場合には、全ての画像に撮影成功を示す情報を付与する。一方、有効画像が含まれていない場合には、全ての画像に撮影失敗を示す情報を付与する。そして、撮影失敗を示す情報が付与された画像及び当該画像の付帯情報を写損統計端末へ出力する。以下、実施形態２について詳述する。
【００８０】
＜構成＞
本実施形態に係る制御システム、Ｘ線撮影システムの構成は実施形態１と同様であるため、詳細な説明は省略する。
【００８１】
図９は、本発明の一実施形態に係るＸ線撮影制御部の構成例を示す図である。本実施形態に係るＸ線撮影制御部１０１２は、図２で説明した構成に加えて、画像複製部９０１を備えている。画像複製部９０１は、指定した撮影画像及びその撮影画像の付帯情報を複製し、複製内容を検査情報記憶部２０３へ記憶する。
【００８２】
＜撮影画面の例＞
図１０は、本発明の一実施形態に係る撮影画面の一例を示している。図１０では、実施形態１で説明した図３と同じ構成要素には、同じ符号を付している。検査オーダ表示領域３０５には検査に含まれる撮影プロトコル１００１、１００２、１００３を表示しており、撮影プロトコルそれぞれに撮影手技の名称を表示している。各撮影プロトコルには、それぞれ撮影した画像、及び生成した画像のサムネイルを表示するサムネイル表示領域１００４、１００５、１００６が設けられている。写損画像の当該サムネイル上には、写損を示す記号１００７を表示する。画像複製ボタン１００８は、画像複製を指示するためのボタンであり、複製画像の撮影プロトコルには複製を示す記号１００９を表示する。
【００８３】
＜処理＞
実施形態２に係る検査開始から終了までの一連の処理の手順は、実施形態１で説明した図４の処理と同様であるが、一部差異がある。以下では主に差異点を説明する。
【００８４】
以下では、図１１のフローチャートを参照しながら、本発明の一実施形態に係るＳ４０３の処理の詳細を説明する。
【００８５】
Ｓ１１０１の処理は図５のＳ５０１の処理と同様であるため、説明を省略する。Ｓ１１０２において、制御装置１０１は、撮影プロトコルを用いて撮影を実施する。具体的には、Ｘ線管球１０２１から被写体に向けてＸ線を照射するとともに、センサ１０２２において当該被写体を透過したＸ線を検出する。この結果得られた撮影画像を画像入力部２０２が取得し、取得された撮影画像に対して画像処理部２０４が補正処理や階調処理、周波数処理等の画像処理を施す。撮影画像は検査情報と関連付けて検査情報記憶部２０３へ記憶する。このとき撮影画面３０１では、撮影画像の表示及び付帯する画像情報を表示する。撮影画像をプレビュー画像表示領域３０２に表示し、撮影画像のサムネイルを、撮影に用いた撮影プロトコル上のサムネイル表示領域１００４、１００５、１００６などへ表示する。
【００８６】
Ｓ１１０３において、制御装置１０１は、操作部１０４の操作を介して画像複製ボタン１００８が押下されたか否かを判定する。画像複製ボタン１００８が押下された場合（Ｓ１１０３；Ｙｅｓ）、Ｓ１１０４へ進む。一方、画像複製ボタン１００８が押下されていない場合（Ｓ１１０３；Ｎｏ）、処理を終了する。Ｓ１１０４において、制御装置１０１は、指定された撮影画像及び当該画像の付帯情報を画像複製部９０１により複製し、複製内容を検査情報記憶部２０３へ記憶する。以上で図１１の一連の処理が終了する。
【００８７】
＜検査情報の例＞
続いて、図１２を参照して、本発明の一実施形態に係る検査情報の例を説明する。テーブル１２０は、検査情報記憶部２０３に記憶されている検査終了済みの検査情報の一部を表形式で表したものである。
【００８８】
複製元画像番号項目１２０１は、画像複製部９０１の処理により複製された画像に付与される、複製元の画像番号項目６０４の番号である。それ以外の項目は、実施形態１で説明した図６のテーブル６０の各項目と同様であるため、説明を省略する。
【００８９】
＜テーブル１２０の各項目（撮影成否項目６０７以外）の取得処理＞
以下では、再び図４及び図５を参照しながら、図１２のテーブル１２０に示す撮影成否項目６０７以外の検査情報が、検査終了までにどのような処理を経て得られるかを説明する。
【００９０】
まず、図４のＳ４０１において撮影プロトコルＰ００５、Ｐ００６が入力され、Ｓ４０２において検査が開始される。Ｓ４０３の撮影処理及び後処理では、まずは図１１のＳ１１０１、Ｓ１１０２を経て撮影プロトコルＰ００５に基づいて撮影が行われる。これにより投影画像ＩＭ００９が取得される。
【００９１】
複数の異なる画像処理を施して画像を見比べるために、Ｓ１１０３で画像複製ボタン１００８が押下され、その結果、Ｓ１１０４において撮影画像ＩＭ００９の複製画像ＩＭ０１０、ＩＭ０１１が取得される。なお、撮影プロトコルＰ００５は撮影画像と１：１で関連付けられる仕組みとなっているため、画像複製に伴い複製画像ＩＭ０１０、ＩＭ０１１に対してそれぞれ関連付けられる撮影プロトコルＰ００７、Ｐ００８が撮影プロトコルＰ００５に基づいて複製される。また、画像ＩＭ００９、ＩＭ０１０、ＩＭ０１１には、それぞれ異なる画像処理パラメータによる画像処理が施されている。
【００９２】
ここで操作者が画像ＩＭ００９、ＩＭ０１０、ＩＭ０１１を全て見比べて、初めて撮影画像ＩＭ００９が撮影手技に失敗していたことを理解し、図４のＳ４０４において再撮影ボタン３１３が押下されたものとする。続くＳ４０５の処理により、まず画像ＩＭ００９、ＩＭ０１０、ＩＭ０１１が写損状態に変更される。そして、撮影プロトコルＰ００５と同一の撮影プロトコルＰ００９が検査オーダに追加される。
【００９３】
次に、Ｓ４０３に戻り、更に再撮影用プロトコルＰ００９に基づいて撮影を行うため、Ｓ１１０２へ進み、撮影画像ＩＭ０１２が取得される。そして、Ｓ１１０４において撮影画像ＩＭ０１２の複製画像ＩＭ０１３、ＩＭ０１４が取得される。なお、画像複製に伴い複製画像ＩＭ０１３、ＩＭ０１４に対してそれぞれ関連付けられた撮影プロトコルＰ０１０、Ｐ０１１が、撮影プロトコルＰ００９に基づいて複製される。また、画像ＩＭ０１２、ＩＭ０１３、ＩＭ０１４には、それぞれ異なる画像処理パラメータにより画像処理が施されている。
【００９４】
ここで、操作者が画像ＩＭ０１２、ＩＭ０１３、ＩＭ０１４を見比べて、画像ＩＭ０１４が最も診断に適すると判定したものとする。ここでは有効画像ＩＭ００６が含まれているため、Ｓ４０４で再撮影ボタン３１３は押下されず、Ｓ４０６へ進む。Ｓ４０６において、診断に適さない画像ＩＭ０１２、ＩＭ０１３がＰＡＣＳ端末３０へ転送されないようにするために、写損ボタン３１２が押下される。次に、Ｓ４０７において画像ＩＭ０１２、ＩＭ０１３は写損状態へ変更される。未撮影プロトコルＰ００６が残っているため、Ｓ４０８では検査終了ボタン３１４が押下されず、Ｓ４０３に戻る。
【００９５】
続いて、Ｓ１１０２での撮影により撮影画像ＩＭ０１５が取得される。撮影画像ＩＭ０１５について、複数の画像処理で見比べる必要はないと操作者が判定した場合、Ｓ１１０３では画像複製ボタン１００８は押下されない。ここで、操作者が撮影画像ＩＭ０１５を見て撮影手技に失敗したことを理解し、Ｓ４０４において再撮影ボタン３１３が押下されたものとする。次にＳ４０５の処理により、まず撮影プロトコルＰ００６により得られた画像ＩＭ０１５が写損状態に変更される。そして、撮影プロトコルＰ００６と同一の撮影プロトコルＰ０１２が検査オーダに追加される。
【００９６】
次に、Ｓ４０３に戻り、更に再撮影用プロトコルＰ０１２で撮影するため、Ｓ１１０２へ進んで撮影画像ＩＭ０１６を取得する。操作者は撮影画像ＩＭ０１６が診断に適すると判定したものとする。その場合、Ｓ４０４において再撮影ボタン３１３は押下されず、更にＳ４０６において写損ボタン３１２は押下されず、Ｓ４０８へ進む。全ての撮影プロトコルでの撮影が完了しているため、Ｓ４０８において検査終了ボタン３１４が押下されて、検査が終了する。
【００９７】
以上の一連の処理を経て、図１２に示す撮影成否項目を除くテーブル１２０の項目が得られる。
【００９８】
＜テーブル１２０の撮影成否項目６０７の取得処理＞
次に、図１３のフローチャートを参照しながら、本発明の一実施形態に係る検査終了済みの検査情報に対する撮影成否識別部２０９が実施する処理の手順を説明する。ここでは、図１２に示すテーブル１２０のうち、撮影成否項目６０７がどのような処理を経て得られるのかを説明する。
【００９９】
Ｓ１３０１では、撮影成否識別部２０９は、検査情報記憶部２０３から処理の対象となる検査情報を読み出す。ここでは図１２に示されるテーブル１２０の検査情報を読み出す。次に、検査情報内の各画像に対して先頭から順に、Ｓ１３０２〜Ｓ１３０９の処理をループしながらそれぞれ行う。ループ終了後、Ｓ１３１０へ進む。最初に、テーブル１２０における先頭の画像ＩＭ００９に対して処理を行う。
【０１００】
Ｓ１３０２において、撮影成否識別部２０９は、当該画像がオリジナル画像であるか複製画像であるかを判定する。オリジナル画像である場合は（Ｓ１３０２；Ｙｅｓ）、Ｓ１３０３へ進む。一方、複製画像である場合はループ始端へ戻り、次の画像に対して処理を行う。ここでは、画像ＩＭ００９はオリジナル画像なのでＳ１３０３へ進む。
【０１０１】
Ｓ１３０３において、撮影成否識別部２０９は、当該画像の複製画像があるか否かを判定する。複製画像がある場合（Ｓ１３０３；Ｙｅｓ）、Ｓ１３０４へ進む。一方、複製画像がない場合（Ｓ１３０３；Ｎｏ）、Ｓ１３０７へ進む。ここでは、画像ＩＭ００９には複製画像ＩＭ０１０、ＩＭ０１１があるので、Ｓ１３０４へ進む。
【０１０２】
Ｓ１３０４において、撮影成否識別部２０９は、当該画像及び当該画像の全ての複製画像の中に有効画像が含まれるか否かを判定する。有効画像が含まれる場合（Ｓ１３０４；Ｙｅｓ）、Ｓ１３０５へ進む。一方、有効画像が含まれない場合（Ｓ１３０４；Ｎｏ）、Ｓ１３０６へ進む。ここで、オリジナル画像ＩＭ００９、並びに複製画像ＩＭ０１０、ＩＭ０１１は全て写損状態であるため、Ｓ１３０６へ進む。
【０１０３】
Ｓ１３０６において、撮影成否識別部２０９は、当該画像及び当該画像の複製画像の全てに対して撮影失敗の情報を付与する。ここでは、画像ＩＭ００９、ＩＭ０１０、ＩＭ０１１に撮影失敗の情報を付与する。その後、ループ始端のＳ１３０２に戻る。
【０１０４】
Ｓ１３０２の判定の結果、複製画像ＩＭ０１０、ＩＭ０１１に対する処理は行われないため（Ｓ１３０２；Ｎｏ）、次のオリジナル画像ＩＭ０１２までループが進む。画像ＩＭ０１２はオリジナル画像なので（Ｓ１３０２；Ｙｅｓ）、Ｓ１３０３へ進む。画像ＩＭ０１２には複製画像ＩＭ０１３、ＩＭ０１４があるので（Ｓ１３０３；Ｙｅｓ）、Ｓ１３０４へ進む。そして、オリジナル画像ＩＭ０１２、並びに複製画像ＩＭ０１３、ＩＭ０１４の中で、複製画像ＩＭ０１４が有効画像であるため（Ｓ１３０４；Ｙｅｓ）、Ｓ１３０５へ進む。
【０１０５】
Ｓ１３０５において、撮影成否識別部２０９は、当該画像及び当該画像の複製画像の全てに対して撮影成功の情報を付与する。ここでは、画像ＩＭ０１２、ＩＭ０１３、ＩＭ０１４に撮影成功の情報を付与する。その後、ループ始端のＳ１３０２に戻る。
【０１０６】
続いて、Ｓ１３０２の判定の結果、複製画像ＩＭ０１３、ＩＭ０１４に対する処理は行われないため（Ｓ１３０２；Ｎｏ）、次のオリジナル画像ＩＭ０１５までループが進む。画像ＩＭ０１５はオリジナル画像なので（Ｓ１３０２；Ｙｅｓ）、Ｓ１３０３へ進む。画像ＩＭ０１５には複製画像がないので（Ｓ１３０３；Ｎｏ）、Ｓ１３０７へ進む。
【０１０７】
Ｓ１３０７において、撮影成否識別部２０９は、当該画像が有効画像であるか否かを判定する。有効画像である場合（Ｓ１３０７；Ｙｅｓ）、Ｓ１３０８へ進む。一方、有効画像ではない場合（Ｓ１３０７；Ｎｏ）、Ｓ１３０９へ進む。ここでは、画像ＩＭ０１５は写損画像であるため（Ｓ１３０７；Ｎｏ）、Ｓ１３０９へ進む。
【０１０８】
Ｓ１３０９において、撮影成否識別部２０９は、当該画像に対して撮影失敗の情報を付与する。ここでは、画像ＩＭ０１５に撮影失敗の情報を付与する。その後、ループ始端のＳ１３０２に戻り、次に画像ＩＭ０１６に対して処理を行う。画像ＩＭ０１６はオリジナル画像なので（Ｓ１３０２；Ｙｅｓ）、Ｓ１３０３へ進む。そして、画像ＩＭ０１６には複製画像がないので（Ｓ１３０３；Ｎｏ）、Ｓ１３０７へ進む。画像ＩＭ０１６は有効画像なので（Ｓ１３０７；Ｙｅｓ）、Ｓ１３０８へ進む。
【０１０９】
Ｓ１３０８において、撮影成否識別部２０９は、当該画像に対して撮影成功の情報を付与する。ここでは、画像ＩＭ０１６に撮影成功の情報を付与する。これにより全ての画像に対してのループ処理が完了したため、Ｓ１３１０へ進む。Ｓ１３１０において、撮影成否識別部２０９は、Ｓ１３０２〜Ｓ１３０９の一連の処理によって変更された検査情報を検査情報記憶部２０３へ記憶する。以上説明した処理を経て、テーブル１２０の撮影成否項目６０７の情報が得られる。
【０１１０】
＜写損統計出力部２０８の処理＞
本実施形態に係る写損統計出力部２０８の処理は、実施形態１の図８の処理と基本的に同様であるが、Ｓ８０２では、図１２のテーブル１２０を例にすると、画像ＩＭ００９、ＩＭ０１０、ＩＭ０１１、ＩＭ０１５が抽出されることになる点が異なっている。
【０１１１】
以上説明したように、本実施形態によれば、各撮影画像に対して写損状態を示す情報とは別に撮影成否状態を示す情報を付与できる。更に、写損統計端末４０に対しては撮影失敗の情報が付与された撮影画像のみ出力することができる。
【０１１２】
例えば、複製画像のある撮影画像について、テーブル１２０の検査情報の画像ＩＭ００９、ＩＭ０１０、ＩＭ０１１のように、撮影手技失敗を意図して全て写損状態にした画像に対して、全て撮影失敗の情報を付与できる。よって、写損分析の対象として写損統計端末４０へ出力できる。
【０１１３】
また、テーブル１２０の検査情報における複製画像のある撮影画像について、非転送を意図して写損状態にした画像ＩＭ０１２、ＩＭ０１３は撮影成功とみなされるため、写損分析対象とはならず、写損統計端末４０へは出力されない。
【０１１４】
一方、複製画像のない撮影画像については、写損は撮影手技失敗を意図しており、写損画像に撮影失敗の情報を付与できる。よって、写損分析の対象として写損統計端末４０へ出力できる。
【０１１５】
このように、写損分析に必要な画像のみが写損統計端末４０に出力されるため、写損統計端末４０側で写損分析に必要な画像と不要な画像とを仕分ける手間がなくなり、写損分析の効率を向上させることができる。
【０１１６】
（実施形態３）
＜概要＞
実施形態１では写損統計端末へ出力する対象が撮影失敗を示す情報が付与された画像及び当該画像の付帯情報であった。これに対して、実施形態３では、写損統計端末へ出力する対象が撮影成否情報を付与された写損画像及び当該写損画像の付帯情報である点が異なっている。
【０１１７】
＜構成＞
本実施形態に係る制御システム、Ｘ線撮影システムの構成は実施形態１と同様であるため、詳細な説明は省略する。また、本実施形態に係るＸ線撮影制御部１０１２の構成は実施形態１で図２を参照して説明した構成と同様である。さらに、本実施形態に係る撮影画面の例は実施形態１の図３と同様であり、本実施形態に係る検査開始から終了までの一連の処理も図４、図５の処理と同様である。検査情報を得るための処理も、図６、図７の処理と同様である。
【０１１８】
＜写損統計出力部２０８の処理＞
次に、図１４のフローチャートを参照しながら、本発明の一実施形態に係る写損統計出力部２０８が実施する処理の手順を説明する。撮影成否識別部２０９で検査情報に撮影成否情報を付与された後、写損統計出力部２０８が写損統計端末４０へ写損画像及び写損画像の付帯情報を出力する処理の一例を詳述する。
【０１１９】
Ｓ１４０１の処理は、図８のＳ８０１の処理と同様である。Ｓ１４０２において、写損統計出力部２０８は、Ｓ１４０１で読み出された検査情報のうち、写損状態の画像及び当該画像の付帯情報を抽出する。図６のテーブル６０の検査情報を例にすると、画像ＩＭ００１、ＩＭ００２、ＩＭ００３、ＩＭ００５、ＩＭ００７が抽出される。Ｓ１４０３の処理は、図８のＳ８０３の処理と同様である。
【０１２０】
以上説明したように、本実施形態によれば、各撮影画像に対して写損状態を示す情報とは別に撮影成否状態を示す情報を付与することができる。
【０１２１】
例えば、トモシンセシス撮影プロトコルで得られた画像について、テーブル６０の検査情報の画像ＩＭ００１、ＩＭ００２、ＩＭ００３のように、撮影手技失敗を意図して全て写損状態にした画像に対して、全て撮影失敗の情報を付与できる。また、テーブル６０の検査情報における撮影プロトコルＰ００３のように有効画像を含むトモシンセシス撮影プロトコルについて、非転送を意図して写損状態にした画像ＩＭ００５は撮影成功となる。
【０１２２】
一方、トモシンセシス撮影用以外の撮影プロトコルでは、写損は撮影手技失敗を意図しており、写損画像に撮影失敗の情報を付与できる。このようにして撮影成否状態を示す情報が付与された全ての写損画像が写損統計端末４０へ出力される。ただし、写損統計端末４０側で写損分析時に撮影失敗画像のみを参照するようにフィルタリングすればよいだけなので、写損統計端末４０側では写損分析に必要な画像と不要な画像とを仕分ける手間が減少し、写損分析の効率を向上させることができる。
【０１２３】
（実施形態４）
＜概要＞
実施形態２では写損統計端末へ出力する対象が撮影失敗を示す情報が付与された画像及び当該画像の付帯情報であった。これに対して、実施形態４では、写損統計端末へ出力する対象が撮影成否情報を付与された写損画像及び当該写損画像の付帯情報である点が異なっている。
【０１２４】
＜構成＞
本実施形態に係る制御システム、Ｘ線撮影システムの構成は実施形態１と同様であるため、詳細な説明は省略する。また、本実施形態に係るＸ線撮影制御部１０１２の構成は実施形態２で図９を参照して説明した構成と同様である。さらに、本実施形態に係る撮影画面の例は実施形態２の図１０と同様であり、本実施形態に係る検査開始から終了までの一連の処理も図４、図１１の処理と同様である。検査情報を得るための処理も、実施形態２の図１２、図１３の処理と同様である。
【０１２５】
＜写損統計出力部２０８の処理＞
次に、図１４のフローチャートを参照しながら、本発明の一実施形態に係る写損統計出力部２０８が実施する処理の手順を説明する。Ｓ１４０１の処理は、図８のＳ８０１の処理と同様である。Ｓ１４０２において、写損統計出力部２０８は、Ｓ１４０１で読み出された検査情報のうち、写損状態の画像及び当該画像の付帯情報を抽出する。図１２のテーブル１２０の検査情報を例にすると、画像ＩＭ００９、ＩＭ０１０、ＩＭ０１１、ＩＭ０１２、ＩＭ０１３、ＩＭ０１５が抽出される。Ｓ１４０３の処理は、図８のＳ８０３の処理と同様である。
【０１２６】
以上説明したように、本実施形態４によれば、各撮影画像に対して写損状態を示す情報とは別に撮影成否状態を示す情報を付与することができる。
【０１２７】
例えば、複製画像が存在する撮影画像について、テーブル１２０の画像ＩＭ００９、ＩＭ０１０、ＩＭ０１１のように、撮影手技失敗を意図して全て写損状態にした画像に対して、全て撮影失敗の情報を付与できる。また、テーブル１２０の複製画像が存在する撮影画像について、非転送を意図して写損状態にした画像ＩＭ０１２、ＩＭ０１３は撮影成功となる。
【０１２８】
一方、複製画像が存在しない撮影画像では、写損は撮影手技失敗を意図しており、写損画像に撮影失敗の情報を付与できる。このようにして撮影成否状態を示す情報が付与された全ての写損画像が写損統計端末４０へ出力される。ただし、写損統計端末４０側で写損分析時に撮影失敗画像のみ参照するようフィルタリングすればよいだけなので、写損統計端末４０側では写損分析に必要な画像と不要な画像とを仕分ける手間が減少し、写損分析の効率を向上させることができる。
【０１２９】
（実施形態５）
＜概要＞
実施形態５では、実施形態１とは異なり、撮影成否識別部が制御装置の外部に設けられており、写損統計端末に記憶されている画像に対して撮影成否を示す情報を付与する例を説明する。
【０１３０】
＜構成＞
図１５は、実施形態５に係る制御システムの構成例を示す図である。図１５において、実施形態１で説明した図１と同じ構成要素には、同じ符号を付している。１５０１は撮影成否識別部である。撮影成否識別部１５０１は、写損統計端末４０に記憶されている写損画像の付帯情報から、写損画像が撮影失敗に因るものかどうかを識別する。
【０１３１】
続いて、図１５に示すＸ線撮影制御部１０１２において実施形態５を実現するための機能構成の一例を図１６に示す。なお、図１６において、実施形態１で説明した図２と同じ構成要素には、同じ符号を付している。本実施形態に係るＸ線撮影制御部１０１２は、撮影成否識別部２０９を含まない点が図２とは異なっている。
【０１３２】
実施形態５に係る撮影画面の一例は、図３に示す通り実施形態１と同様である。実施形態５に係る検査開始から終了までの一連の流れは、実施形態１で説明した図４、図５と同様である。実施形態５の機能の説明に必要な検査情報を得るための処理の一例は、実施形態１で説明した図６と同様である。
【０１３３】
実施形態５おける、検査終了後に写損統計出力部２０８が写損統計端末４０へ写損画像及び写損画像の付帯情報を出力する処理の例は、実施形態３で説明した図１４と同様である。なお、写損統計出力部２０８の処理は、検査終了後の任意のタイミングで実行される。例えば、操作部１０４を介して実行を指示したり、所望の実行日時を指定してバッググラウンドで実行したりする。
【０１３４】
実施形態５おける、写損統計出力部２０８から出力された情報が写損統計端末４０へ入力された後の撮影成否識別部１５０１の処理の流れは、実施形態１で説明した図７と同様であるが、一部差異のみ説明する。なお撮影成否識別部１５０１の処理は、写損統計出力部２０８から出力された情報が写損統計端末４０へ入力された後から、写損統計端末４０により写損分析するまでの任意のタイミングで実行される。例えば写損統計出力部２０８からの入力を受けた直後や、写損統計端末４０の図示しない操作部を介しての実行指示や、写損統計端末４０による写損分析時などである。
【０１３５】
実施形態５におけるＳ７０１では、写損統計端末４０から処理の対象となる検査情報と関連付けられた写損画像及び付帯情報を読み出す。ここでは、図６に示されるテーブル６０に従って、検査情報と関連付けられた写損画像及び付帯情報を読み出す。
【０１３６】
実施形態５におけるＳ７０９では、Ｓ７０２〜Ｓ７０８の一連の処理によって変更された情報を写損統計端末４０へ記憶する。以上のような処理を経て、テーブル６０の撮影成否項目が得られる。
【０１３７】
以上説明したように、本実施形態によれば、写損統計端末４０で記憶している各写損画像に対して写損状態を示す情報とは別に撮影成否状態を示す情報を付与することができる。
【０１３８】
例えば、トモシンセシス撮影プロトコルで得られた画像について、テーブル６０の検査情報の画像ＩＭ００１、ＩＭ００２、ＩＭ００３のように、撮影手技失敗を意図して全て写損状態にした画像に対して、全て撮影失敗の情報を付与できる。また、テーブル６０の検査情報における撮影プロトコルＰ００３のように有効画像を含むトモシンセシス撮影プロトコルについて、非転送を意図して写損状態にした画像ＩＭ００５は撮影成功となる。
【０１３９】
一方、トモシンセシス撮影用以外の撮影プロトコルでは、写損は撮影手技失敗を意図しており、写損画像に撮影失敗の情報を付与できる。写損統計端末４０へ写損統計出力部２０８から全ての写損画像が出力されてくるものの、写損統計端末４０側で撮影成否状態を示す情報を付与し、更に写損分析時に撮影失敗画像のみを参照するようにフィルタリングすればよいだけである。そのため、写損統計端末４０側では写損分析に必要な画像と不要な画像とを仕分ける手間が減少し、写損分析の効率を向上させることができる。
【０１４０】
（実施形態６）
＜概要＞
実施形態６では、実施形態２とは異なり、撮影成否識別部が制御装置の外部に設けられており、写損統計端末に記憶されている画像に対して撮影成否を示す情報を付与する例を説明する。
【０１４１】
＜構成＞
実施形態６に係る制御システムの構成は、実施形態５で説明した図１５の構成と同様である。図１５に示すＸ線撮影制御部１０１２において実施形態６を実現するための機能構成の一例を図１７に示す。図１７において、実施形態２で説明した図９と同じ構成要素には、同じ符号を付している。本実施形態に係るＸ線撮影制御部１０１２は、撮影成否識別部２０９を含まない点が図９とは異なっている。
【０１４２】
実施形態６に係る撮影画面の一例は、実施形態２で説明した図１０と同様である。実施形態６おける検査開始から終了までの一連の流れは、実施形態２で説明した図４、図１１と同様である。実施形態６の機能の説明に必要な検査情報を得るための処理の一例は、実施形態２で説明した図１２と同様である。
【０１４３】
実施形態６おける、検査終了後に写損統計出力部２０８が写損統計端末４０へ写損画像及び写損画像の付帯情報を出力する処理の例は、実施形態３で説明した図１４と同様である。なお、写損統計出力部２０８の処理は、検査終了後の任意のタイミングで実行される。例えば、操作部１０４を介して実行を指示したり、所望の実行日時を指定してバッググラウンドで実行したりする。
【０１４４】
実施形態６おける、写損統計出力部２０８から出力された情報が写損統計端末４０へ入力された後の撮影成否識別部１５０１の処理の流れは、実施形態２で説明した図１３と同様であるが、一部差異のみ説明する。なお撮影成否識別部１５０１の処理は、写損統計出力部２０８から出力された情報が写損統計端末４０へ入力された後から、写損統計端末４０により写損分析するまでの任意のタイミングで実行される。例えば写損統計出力部２０８からの入力を受けた直後や、写損統計端末４０の図示しない操作部を介しての実行指示や、写損統計端末４０による写損分析時などである。
【０１４５】
実施形態６におけるＳ１３０１では、写損統計端末４０から処理の対象となる検査情報と関連付けられた写損画像及び付帯情報を読み出す。ここでは、図１２に示されるテーブル１２０に従って、検査情報と関連付けられた写損画像及び付帯情報を読み出す。
【０１４６】
実施形態６におけるＳ１３１０では、Ｓ１３０２〜Ｓ１３０９の一連の処理によって変更された情報を写損統計端末４０へ記憶する。以上のような処理を経て、テーブル１２０の撮影成否項目が得られる。
【０１４７】
以上説明したように、本実施形態によれば、写損統計端末４０で記憶している各写損画像に対して写損状態を示す情報とは別に撮影成否状態を示す情報を付与することができる。
【０１４８】
例えば、複製画像が存在する撮影画像について、テーブル１２０の画像ＩＭ００９、ＩＭ０１０、ＩＭ０１１のように、撮影手技失敗を意図して全て写損状態にした画像に対して、全て撮影失敗の情報を付与できる。また、テーブル１２０における複製画像が存在する撮影画像について、非転送を意図して写損状態にした画像ＩＭ０１２、ＩＭ０１３は撮影成功となる。
【０１４９】
一方、複製画像が存在しない撮影画像では、写損は撮影手技失敗を意図しており、写損画像に撮影失敗の情報を付与できる。写損統計端末４０へは写損統計出力部２０８から全ての写損画像が出力されてくるものの、写損統計端末４０側で撮影成否状態を示す情報を付与し、更に写損分析時に撮影失敗画像のみ参照するようフィルタリングすればよいだけである。そのため、写損統計端末４０側では写損分析に必要な画像と不要な画像とを仕分ける手間が減少し、写損分析の効率を向上させることができる。
【０１５０】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【０１５１】
１：制御システム、１０：Ｘ線撮影システム、２０：ＲＩＳ端末、３０：ＰＡＣＳ端末、４０：写損統計端末、制御装置１０１、１０２：撮影部、１０３：表示部、１０４：操作部、１０１１：Ｘ線発生制御部、１０１２：Ｘ線撮影制御部、２０１：検査オーダ入力部、２０２：画像入力部、２０３：検査情報記憶部、２０４：画像処理部、２０５：写損指示部、２０６：再撮影指示部、２０７：検査情報出力部、２０８：写損統計出力部、２０９，１５０１：撮影成否識別部
【図１】
2018027159.tif 000003
【図２】
2018027159.tif 000004
【図３】
2018027159.tif 000005
【図４】
2018027159.tif 000006
【図５】
2018027159.tif 000007
【図６】
2018027159.tif 000008
【図７】
2018027159.tif 000009
【図８】
2018027159.tif 000010
【図９】
2018027159.tif 000011
【図１０】
2018027159.tif 000012
【図１１】
2018027159.tif 000013
【図１２】
2018027159.tif 000014
【図１３】
2018027159.tif 000015
【図１４】
2018027159.tif 000016
【図１５】
2018027159.tif 000017
【図１６】
2018027159.tif 000018
【図１７】
2018027159.tif 000019